(57)【要約】【課題】ケースを本体装置に装着した状態では、記録装置を持ち上げて移動する際の作業が困難であるという課題がある【解決手段】インクを用紙に噴射可能な記録ヘッドと、用紙を保持する用紙カセット１２と、用紙を記録ヘッドに搬送する搬送ユニットと、記録ヘッドと搬送ユニットとを収容し、用紙カセット１２が挿入される筐体４と、筐体４の側面４ａに形成され、用紙カセット１２を挿入する開口部１３と、インクを収容するインク収容体と、筐体４の開口部１３が形成された側面４ａに隣接する側面４ｂ，４ｃに着脱可能に装着され、インク収容体を格納するケース５，６と、インク収容体から筐体４の内部にインクを供給する供給部（接続チューブ）と、を備え、ケース５，６には、指が掛かるための指掛け部９，１６が形成されている記録装置を提供する。【選択図】図１
2015066822.tif 000002
【特許請求の範囲】
【請求項１】
液体を記録媒体に噴射可能な記録ヘッドと、
前記記録媒体を保持する記録媒体保持ユニットと、
前記記録媒体を前記記録ヘッドに搬送する搬送ユニットと、
前記記録ヘッドと前記搬送ユニットとを収容し、前記記録媒体保持ユニットが挿入される筐体と、
前記筐体の側面に形成され、前記記録媒体保持ユニットを挿入する挿入口と、
前記液体を収容する液体収容体と、
前記筐体の前記挿入口が形成された側面に隣接する少なくとも一方の側面に着脱可能に装着され、前記液体収容体を格納するケースと、
前記液体収容体から前記筐体の内部に前記液体を供給する供給部と、
を備え、
前記ケースには、指が掛かるための第１の指掛け部が形成されていることを特徴とする記録装置。
【請求項２】
請求項１に記載の記録装置であって、
前記第１の指掛け部は、前記ケースの側面位置から前記ケースの内側に向けて窪む凹部であり、前記凹部の前記側面位置における上部には、下方に突出して前後方向に延在する延在部と前記延在部の内側に隣接して前後方向に延在する溝部が形成されることを特徴とする記録装置。
【請求項３】
請求項１に記載の記録装置であって、
前記ケースは、前記筐体の一方の側面に配置され、
前記筐体の他方の側面には、指が掛かるための第２の指掛け部が形成されていることを特徴とする記録装置。
【請求項４】
請求項１に記載の記録装置であって、
前記ケースは、前記筐体の両側の側面に配置されることを特徴とする記録装置。
【請求項５】
請求項１から請求項４のいずれか一項に記載の記録装置であって、
前記ケースが前記筐体に装着された状態において、高さ方向から見た前記ケースと前記筐体の配置は、前記ケースと前記筐体との少なくとも一部が重なる位置に配置され、前記重なる位置において、前記ケースの一部は、前記筐体の一部より下側にあることを特徴とする記録装置。
【請求項６】
請求項５に記載の記録装置であって、
前記ケースと前記筐体の一部が重なる位置は、高さ方向における前記筐体の底面の位置にあることを特徴とする記録装置。
【請求項７】
請求項５に記載の記録装置であって、
前記筐体に設けられた凹部と、
前記ケースに設けられ、前記凹部に挿入されて係合する係合部と、をさらに備えたことを特徴とする記録装置。
【請求項８】
請求項７に記載の記録装置であって、
前記ケースは、前記筐体に着脱可能に固定される固定部と、前記液体収容体を格納する格納部と、前記格納部に開閉自在に取り付けられた蓋体と、を備え、
前記係合部は、前記固定部に設けられることを特徴とする記録装置。
【請求項９】
請求項５に記載の記録装置であって、
前記ケースに設けられた凹部と、
前記ケースが前記筐体に装着された状態において、前記筐体に設けられ、前記凹部に挿入されて係合する係合部と、をさらに備えたことを特徴とする記録装置。
【請求項１０】
請求項９に記載の記録装置であって、
高さ方向から見た、前記第１の指掛け部と前記係合部の位置は、重なる位置に配置されることを特徴とする記録装置。
【請求項１１】
請求項１から請求項１０のいずれか一項に記載の記録装置であって、
前記筐体は、前記記録媒体保持ユニットとは異なる外部記録媒体保持ユニットを含むことを特徴とする記録装置。
【請求項１２】
請求項１から請求項１１のいずれか一項に記載の記録装置であって、
前記液体収容体が可撓性であることを特徴とする記録装置。
【発明の詳細な説明】
【技術分野】
【０００１】
本発明は、記録装置に関する。
【背景技術】
【０００２】
従来から、記録装置の一種として、記録ヘッドから用紙等に対してインクを噴射して印刷を行うインクジェット式プリンターが知られている。このようなインクジェット式プリンターにおいては、比較的大量の印刷を行う場合にプリンターヘッドへ連続的に安定してインクを供給するために、インクジェット式プリンターの本体装置とは別体に外部インク供給装置（液体供給装置）を備え、プリンターヘッドにインクを供給する構成が提案されている（例えば、特許文献１参照）。
【０００３】
こうした液体供給装置には、大容量のインクパック（液体収容体）を内部に収容したケースが備えられ、インクパックと本体装置内のプリンターヘッドとを連通するインク供給チューブによって、インクが供給される。
【０００４】
このようなインクジェット式プリンターは、本体装置とは別体にケースが備えられるため、使用者がインクジェット式プリンターを移動しようとする際には、使用者は、本体装置とケースとを別々に保持して移動しなければならないので、移動作業が容易ではない。そこで、ケースを本体装置に装着した状態で移動させる方法がある。
【先行技術文献】
【特許文献】
【０００５】
【特許文献１】特開２００９−２０２３４６号公報
【発明の概要】
【発明が解決しようとする課題】
【０００６】
しかしながら、ケースを本体装置に装着した状態では、本体装置に設けられて使用者の手が掛かるための取っ手部や本体装置の角部などに手が届きにくくなる。そのため、インクジェット式プリンターを持ち上げて移動する際の作業が困難であるという課題がある。
【課題を解決するための手段】
【０００７】
本発明は、上述の課題の少なくとも一部を解決するためになされたものであり、以下の形態または適用例として実現することが可能である。
【０００８】
［適用例１］液体を記録媒体に噴射可能な記録ヘッドと、前記記録媒体を保持する記録媒体保持ユニットと、前記記録媒体を前記記録ヘッドに搬送する搬送ユニットと、前記記録ヘッドと前記搬送ユニットとを収容し、前記記録媒体保持ユニットが挿入される筐体と、前記筐体の側面に形成され、前記記録媒体保持ユニットを挿入する挿入口と、前記液体を収容する液体収容体と、前記筐体の前記挿入口が形成された側面に隣接する少なくとも一方の側面に着脱可能に装着され、前記液体収容体を格納するケースと、前記液体収容体から前記筐体の内部に前記液体を供給する供給部と、を備え、前記ケースには、指が掛かるための第１の指掛け部が形成されていることを特徴とする記録装置。
【０００９】
本適用例によれば、ケースには、指が掛かるための第１の指掛け部が形成されている。これにより、ケースを移動する際の作業が容易となる。
【００１０】
［適用例２］前記第１の指掛け部は、前記ケースの側面位置から前記ケースの内側に向けて窪む凹部であり、前記凹部の前記側面位置における上部には、下方に突出して前後方向に延在する延在部と前記延在部の内側に隣接して前後方向に延在する溝部が形成されることを特徴とする上記記録装置。
【００１１】
本適用例によれば、使用者の指が第１の指掛け部を安定して保持できる。そのため、使用者が記録装置を手に持って移動する際、記録装置の姿勢が安定する。
【００１２】
［適用例３］前記ケースは、前記筐体の一方の側面に配置され、前記筐体の他方の側面には、指が掛かるための第２の指掛け部が形成されていることを特徴とする上記記録装置。
【００１３】
本適用例によれば、筐体におけるケースが装着されていない側を、使用者が手で保持可能となる。
【００１４】
［適用例４］前記ケースは、前記筐体の両側の側面に配置されることを特徴とする上記記録装置。
【００１５】
本適用例によれば、ケースに格納される液体収容体の個数が増えるので、液体の収容量が増加する。
【００１６】
［適用例５］前記ケースが前記筐体に装着された状態において、高さ方向から見た前記ケースと前記筐体の配置は、前記ケースと前記筐体との少なくとも一部が重なる位置に配置され、前記重なる位置において、前記ケースの一部は、前記筐体の一部より下側にあることを特徴とする上記記録装置。
【００１７】
本適用例によれば、使用者がケースを持ち上げると、筐体が持ち上がり、記録装置の移動が可能となる。
【００１８】
［適用例６］前記ケースと前記筐体の一部が重なる位置は、高さ方向における前記筐体の底面の位置にあることを特徴とする上記記録装置。
【００１９】
本適用例によれば、記録装置が設置されている状態にあるとき、ケースの底面が設置面に当接するので筐体とケースとの姿勢が安定する。
【００２０】
［適用例７］前記筐体に設けられた凹部と、前記ケースに設けられ、前記凹部に挿入されて係合する係合部と、をさらに備えたことを特徴とする上記記録装置。
【００２１】
本適用例によれば、使用者がケースを持ち上げると、筐体が持ち上がり、記録装置の移動が可能となる。
【００２２】
［適用例８］前記ケースは、前記筐体に着脱可能に固定される固定部と、前記液体収容体を格納する格納部と、前記格納部に開閉自在に取り付けられた蓋体と、を備え、前記係合部は、前記固定部に設けられることを特徴とする上記記録装置。
【００２３】
本適用例によれば、格納部、蓋体の剛性は、固定部の剛性より小さくできる。そのため、ケースの製造コストの増大を抑制できる。
【００２４】
［適用例９］前記ケースに設けられた凹部と、前記ケースが前記筐体に装着された状態において、前記筐体に設けられ、前記凹部に挿入されて係合する係合部と、をさらに備えたことを特徴とする上記記録装置。
【００２５】
本適用例によれば、使用者がケースを持ち上げると、筐体が持ち上がり、記録装置の移動が可能となる。
【００２６】
［適用例１０］高さ方向から見た、前記第１の指掛け部と前記係合部の位置は、重なる位置に配置されることを特徴とする上記記録装置。
【００２７】
本適用例によれば、使用者がケースを持ち上げたとき、第１の指掛け部にかかる力の延長線上に係合部が位置する。そのため、ケースの姿勢が安定する。
【００２８】
［適用例１１］前記筐体は、前記記録媒体保持ユニットとは異なる外部記録媒体保持ユニットを含むことを特徴とする上記記録装置。
【００２９】
本適用例によれば、ケースが下方に延長できるので、液体収容体の液体収容量が増加する。
【００３０】
［適用例１２］前記液体収容体が可撓性であることを特徴とする上記記録装置。
【００３１】
本適用例によれば、液体の消費に応じて液体収容体が収縮するので、液体収容体内部が負圧となってしまうことにより液体が記録ヘッド側に供給不可となることを防止できる。
【図面の簡単な説明】
【００３２】
【図１】記録装置の外観斜視図。
【図２】筐体の上部を取り外した状態における記録装置の斜視図。
【図３】インク収容体の斜視図。
【図４】（ａ）は、ケースの外観斜視図、（ｂ）は、ケースが筐体に装着された部分を正面側から見た図。
【図５】実施形態２における記録装置の外観斜視図。
【図６】実施形態３における記録装置の外観斜視図。
【図７】（ａ）は、筐体に設けられた凹部に、ケースに設けられた突出部が挿入される部分を示す図、（ｂ）は、固定部に設けられた凹部に、筐体に設けられた突出部が挿入される部分を示す図。
【図８】筐体とケースの配置を示す模式図。
【発明を実施するための形態】
【００３３】
（実施形態１）
以下、記録装置の一実施形態について、図面に従って説明する。図１（ａ）は、本実施形態における記録装置としてのインクジェット式プリンター（以降は、プリンターと称する）１を正面左側から見た外観斜視図である。プリンター１は、インク（液体）を噴射して画像を形成する印刷部３、不図示の原稿などを読み取る読取部２、ケース５，６を備えている。印刷部３と読取部２とによって本体装置が構成される。
【００３４】
ケース５は、本体装置の筐体４の左側の側面４ｃに着脱可能に装着され、ケース６は、筐体４の右側の側面４ｂに着脱可能に装着される。ケース５，６には、インクを収容する液体収容体としてのインク収容体３０（図３参照）が格納される。ケース５は、モノクロインクを収容する一個のインク収容体３０を格納する。ケース６は、イエローインク、マゼンタインク、シアンインクのカラーインクをそれぞれ収容する３個のインク収容体３０を格納する。
【００３５】
読取部２は、印刷部３の上に配置されている。読取部２は、ガラスなどの透明板状部材によって形成された不図示の原稿台を備え、原稿台に載置された原稿を読み取ることが可能である。また、読取部２上には、不図示のヒンジ部を介して読取部２の後面における上端部に連結されるオートドキュメントフィーダー２８が配置されている。オートドキュメントフィーダー２８は、原稿載置部に積層された複数の原稿を一枚ずつ反転させながらガラスなどの透明板状部材によって形成された不図示の読取窓上に順次給送して原稿を読み取ることが可能である。
【００３６】
筐体４の正面側の側面４ａには、開口部１３が形成される。開口部１３における下側の領域には、記録媒体保持ユニットとしての用紙カセット１２が前後方向において挿抜可能に設けられる。すなわち開口部１３における下側の領域は、用紙カセット１２が筐体４に対して着脱自在に装着されるための挿入口となる。用紙カセット１２の上側には、印刷部３の内部で印刷された不図示の用紙が搬送される搬送路１１が設けられる。開口部１３における上側の領域は、印刷された用紙の排紙口が形成される。
【００３７】
用紙カセット１２には、複数の用紙が積層状態で載置される。用紙カセット１２に載置された用紙は、筐体４の内部に一枚ずつ供給され、印刷された用紙が開口部１３における上側に形成された排紙口から排出されて不図示の排紙トレイに載置される。
【００３８】
本体装置の正面側には、電源のＯＮ・ＯＦＦ操作や、印刷条件や読み取り条件の設定などを行うための操作ボタン１０が備えられる。また、本体装置の正面側には、印刷条件や読み取り条件を表示するための液晶パネルなどによって構成される表示部１９が備えられる。
【００３９】
図２は、筐体４の上部を取り外した状態におけるプリンター１の斜視図である。搬送路１１の上方には、主走査方向である左右方向に往復移動可能なキャリッジ２１が設けられている。キャリッジ２１内には、キャリッジ２１の下面から露出するように、インクを噴射する記録ヘッド２０が備えられている。
【００４０】
印刷部３には、用紙を反転する不図示の反転ユニットが備えられ、搬送路１１の下側に備えられた用紙カセット１２内の用紙Ｐは、反転ユニットにより、一枚ずつ反転されながら搬送路１１上へ後側から給送される。
【００４１】
また、印刷部３には、不図示の、搬送ローラー、紙送りモーターなどを含んで構成される搬送ユニットが備えられ、搬送ユニットによって用紙Ｐが搬送路１１に沿って後側から前側に向かって搬送される。搬送される用紙Ｐに対して、キャリッジ２１に備えられて往復移動する記録ヘッド２０からインクを噴射することにより用紙Ｐに印刷が行われる。
【００４２】
前述したように、搬送路１１上で印刷された用紙Ｐは、開口部１３における用紙カセット１２よりも上側の領域によって構成される排紙口から順次排紙される。
【００４３】
前側が開口した矩形箱状をなすホルダーケース２４内には、左右方向に並ぶ４個の中空のインク供給針（不図示）が備えられている。
【００４４】
各インク供給針は、前後方向に延びるとともに、ホルダーケース２４の側壁を貫通している。可撓性のインク供給チューブ２５の一端側は、各インク供給針の後端部に接続され、インク供給チューブ２５の他端側は記録ヘッド２０に接続されている。
【００４５】
１本の可撓性の接続チューブ２２の一端側は、インク供給針の前端部と接続され、接続チューブ２２の他端側は、ケース５に格納されるインク収容体３０と接続される（図３参照）。
【００４６】
３本の可撓性の接続チューブ２３の一端側は、各インク供給針の前端部と接続され、接続チューブ２３の他端側は、ケース６に格納されるインク収容体３０と接続される（図３参照）。
【００４７】
図３は、インク収容体３０の斜視図である。インク収容体３０は、インクを収容するインク袋３３を備えている。インク袋３３における上端側には、支持部材（ハンガー部材）３２が固定されている。
【００４８】
インク袋３３は、２つの矩形状の可撓性フィルムの周縁に筒状のインク導出部（図示略）を挟んだ状態でこれら２つの可撓性フィルムの周縁同士を溶着することによって形成される。
【００４９】
インク収容体３０の上部には、弁体部（図示略）が設けられており、キャップ３１を押し下げる方向に回転させることによって弁体部が動作し、インク収容体３０の内部と接続チューブ２２，２３とが連通状態となる。
【００５０】
図２のケース５に収容されたインク収容体３０から接続チューブ２２、インク供給針、インク供給チューブ２５を介して、記録ヘッド２０にモノクロインクが供給される。また、ケース６に収容されたインク収容体３０から接続チューブ２３、インク供給針、インク供給チューブ２５を介して、記録ヘッド２０に、イエローインク、マゼンタインク、シアンインクのカラーインクがそれぞれ供給される。
【００５１】
図１（ａ）のケース５は、ケース５を筐体４の側面４ｃに固定する固定部８、ケース５内部にインク収容体３０を取り付けたり、取り外したりするために開閉可能な蓋体７を有する。固定部８には、使用者の手の指が掛かるための指掛け部９が設けられる。高さ方向において、固定部８の底面８ａの位置は、筐体４の底面４ｄの位置と同じである。
【００５２】
図１（ｂ）は、プリンター１を正面右側から見た外観斜視図である。ケース６は、ケース６を筐体４の側面４ｂに固定する固定部１５、ケース６内部にインク収容体３０を取り付けたり、取り外したりするために開閉可能な蓋体１４を有する。固定部１５には、使用者の手の指が掛かるための指掛け部１６が設けられる。高さ方向において、固定部１５の底面１５ａの位置は、筐体４の底面４ｄの位置と同じである。
【００５３】
ケース５，６の上面の位置は、読取部２の原稿台の位置より下側の位置にある。これにより、使用者が、オートドキュメントフィーダー２８を回動させて原稿台が露出した状態にし、原稿台に原稿を置いたり、原稿台から原稿を取り除いたりするときに、ケース５，６が支障とならない。
【００５４】
図４（ａ）は、ケース６の外観斜視図である。ケース６には、インク収容体３０を収容する格納部３５が備えられる。格納部３５の下端は、固定部１５に固定される。格納部３５の上側が開口し、使用者はインク収容体３０を格納部３５内に取り付けたり、格納部３５内から取り出したりすることができる。
【００５５】
蓋体１４は、一点鎖線に示す回動軸３６を支点として矢印方向に回動可能に備えられる。蓋体１４の筐体４側は開口し、蓋体１４を図４（ａ）の状態から回動させて図１（ｂ）の閉じた状態とすることにより、蓋体１４は格納部３５を覆う。
【００５６】
図４（ｂ）は、ケース６が筐体４に装着された部分を正面側から見た図で、蓋体１４、格納部３５は正面側から見た外観形状を示し、固定部１５は、指掛け部１６が形成された部分における断面形状を示す。固定部１５には、図１（ｂ）に示すように、前後方向に延びる指掛け部１６（第１の指掛け部）が設けられる。指掛け部１６の上部には、固定部１５の側面１５ｄから下方に突出して前後方向に延在する延在部１６ａが設けられる。
【００５７】
延在部１６ａから下側に離れた位置には、固定部１５の側面１５ｄの位置から内側に延びる壁面１６ｅが形成され、延在部１６ａと壁面１６ｅとの間が開口する。壁面１６ｅの上側には、延在部１６ａの内側に形成されて傾斜する壁面１６ｂ、壁面１６ｂと接続されて内側に延びる壁面１６ｃが形成される。
【００５８】
壁面１６ｄは、固定部１５の側面１５ｄの位置から内側に形成されて上下方向に延び、壁面１６ｃ、壁面１６ｅと接続する。壁面１６ｂ，１６ｃ，１６ｄ，１６ｅによって、固定部１５の側面１５ｄから内側に窪む凹部が形成される。
【００５９】
延在部１６ａの内側には、壁面１６ｂ、壁面１６ｃ、壁面１６ｄによって、下側が開口する溝部が延在部１６ａの内側に隣接して形成される。
【００６０】
このような構成により、使用者は、手の平を上向きにした状態で複数の指を延在部１６ａの下側の開口部から侵入させ、指先が上側を向いた状態で溝部の上部を形成する壁面１６ｃに当接する。そのため、使用者は、指掛け部１６を安定して保持できる。
【００６１】
固定部１５の筐体４側には、固定部１５の側面１５ｃから突出して係合する係合部としての突出部１５ｂが設けられる。筐体４の下部には、側面４ｂから内側に位置して上下方向に延びる壁面４ｆが形成され、底面４ｄから上側に位置して側面４ｂから内側に延びて壁面４ｆと接続する壁面４ｅが形成される。すなわち、筐体４の下部には、壁面４ｆと壁面４ｅとを正面側から見た断面形状がＬ字状の切り欠き部が形成される。
【００６２】
固定部１５の突出部１５ｂは、筐体４の下部に設けられたこの切り欠き部に侵入して係合し、固定部１５は、不図示のネジなどの係合部材によって筐体４に固定される。高さ方向において、固定部１５の底面１５ａの位置は、筐体４の底面４ｄの位置と同じである。
【００６３】
図１（ａ）の固定部８に形成された指掛け部９は、図４を用いて説明した指掛け部１６の構成と同じである。また、固定部８には、図４の突出部１５ｂと同じ構成の突出部（不図示）が設けられ、筐体４の左側の側面４ｃの下部には、図４の右側の側面４ｂの下部に設けられた切り欠き部と同じ構成の切り欠き部が設けられる。固定部８の突出部が筐体４の切り欠き部に侵入して係合し、固定部８は、不図示のネジなどの係合部材によって筐体４に固定される。
【００６４】
以上、本実施形態のプリンター１は、インクを用紙Ｐに噴射可能な記録ヘッド２０と、用紙Ｐを保持する用紙カセット１２と、用紙Ｐを記録ヘッド２０に搬送する搬送ユニットと、記録ヘッド２０と搬送ユニットとを収容し、用紙カセット１２が挿入される筐体４と、筐体４の側面４ａに形成され、用紙カセット１２を挿入する開口部１３と、インクを収容するインク収容体３０と、筐体４の開口部１３が形成された側面４ａに隣接する側面４ｂ，４ｃに着脱可能に装着され、インク収容体３０を格納するケース５，６と、インク収容体３０から筐体４の内部にインクを供給する供給部（接続チューブ２２，２３）と、を備え、ケース５，６には、指が掛かるための指掛け部９，１６が形成されている。
【００６５】
このような構成により、使用者は手の指を指掛け部９，１６に掛けて、ケース５，６が筐体４に装着された状態で、プリンター１を持ち上げながら移動させることができる。そのため、プリンター１を手で持ちながら移動させるときの作業が容易となる。
【００６６】
また、指掛け部９，１６は、ケース５，６の側面位置からケース５，６の内側に向けて窪む凹部であり、凹部の側面位置における上部には、下方に突出して前後方向に延在する延在部１６ａと延在部１６ａの内側に隣接して前後方向に延在する溝部が形成される（図４（ｂ）参照）。
【００６７】
この構成によれば、使用者の指が指掛け部９，１６を安定して保持できる。そのため、使用者がプリンター１を手に持って移動する際、プリンター１の姿勢が安定する。
【００６８】
また、ケース５，６は、筐体４の両側の側面４ｂ，４ｃにそれぞれ配置される。これによれば、ケース５，６に格納されるインク収容体３０の個数が増えるので、インクの収容量が増加する。
【００６９】
また、図４のケース６が筐体４に装着された状態において、高さ方向から見たケース６と筐体４の配置は、ケース６の一部である突出部１５ｂと筐体４の一部（壁面４ｆと壁面４ｅとで構成される切り欠き部の上側の部分）とが重なる位置に配置され、重なる位置において、突出部１５ｂは、筐体４の一部より下側にある。
【００７０】
これによれば、使用者がケース６を持ち上げると、筐体４が持ち上がり、プリンター１の移動が可能となる。
【００７１】
また、高さ方向において、図４（ｂ）の筐体４の切り欠き部にケース６の突出部１５ｂが侵入し、筐体４とケース６とが重なる部分において、固定部１５の底面１５ａの位置は、筐体４の底面４ｄと同じ位置にある。
【００７２】
これによれば、プリンター１が設置されている状態にあるとき、ケース６の底面が設置面に当接するのでケース６の姿勢が安定する。
【００７３】
また、ケース６は、筐体４に着脱可能に固定される固定部１５と、インク収容体３０を格納する格納部３５と、格納部３５に開閉自在に取り付けられた蓋体１４と、を備え、突出部１５ｂが、固定部１５に設けられる。
【００７４】
これによれば、筐体４の凹部に挿入させて固定するための突出部を格納部３５、蓋体１４に設けなくてもよい。そのため、格納部３５、蓋体１４の剛性を、固定部１５の剛性より小さくできる。そのため、ケース６の製造コストの増大を抑制できる。
【００７５】
また、インク収容体３０は、可撓性フィルムによってインク袋３３が構成される。これによれば、インクの消費に応じてインク収容体３０のインク袋３３が収縮するので、インク収容体３０内部が負圧となってしまうことによりインクが記録ヘッド２０側に供給不可となることを防止できる。
【００７６】
また、指掛け部９，１６を低い位置に設置する場合には、壁面１６ｅを省略して下方が開放した構成としてもよい。そのようにすることで、低い位置であっても指掛け部９，１６を設けることができる。
【００７７】
（実施形態２）
実施形態２では、筐体の一方の側にケースを備え、他方の側にはケースを備えない記録装置について説明する。図５は、実施形態２における記録装置の外観斜視図である。
【００７８】
図５は、実施形態１で説明した図１（ｂ）の筐体４の右側に備えられたケース６を取り外した状態のプリンター１ａを示す。筐体４の左側の側面４ｃには、ケース５が備えられる。ケース５に収容されるインク収容体３０には、モノクロインクが収容され、プリンター１ａは、モノクロインクを使用する専用の記録装置である。
【００７９】
ケース５の下部には、実施形態１で説明した第１の指掛け部としての指掛け部９（図１（ａ）参照）が設けられる。筐体４の側面４ｂの下部には、第２の指掛け部としての指掛け部１７が設けられる。指掛け部１７は、側面４ｂより内側に窪む凹部が前後方向に延びるようにして設けられる。
【００８０】
このような構成により、筐体４におけるケースが装着されていない側を、使用者が手で保持可能となる。プリンター１ａの他の構成は、実施形態１で説明したプリンター１の構成と同じである。
【００８１】
（実施形態３）
実施形態３では、外部記録媒体保持ユニットを備えた記録装置について説明する。図６は、実施形態３におけるプリンター１ｂの外観斜視図である。
【００８２】
プリンター１ｂは、実施形態１の印刷部３と読取部２によって構成される本体装置の下側に、外部記録媒体保持ユニットとしての増設カセットユニット５１を備える。また、プリンター１ｂは、筐体４の左側の側面４ｃにケース５ａを着脱可能に備え、筐体４の右側の側面４ｂにケース６ａを着脱可能に備える。
【００８３】
増設カセットユニット５１には、前後方向に挿抜可能な用紙カセット５０が設けられる。用紙カセット５０には、用紙Ｐが積載され、図示しない給送ユニットによって用紙Ｐが１枚ずつ印刷部３に給送される。
【００８４】
高さ方向において、ケース５ａの固定部８の底面８ａの位置は、増設カセットユニット５１の底面５１ａの位置と同じである。同様に、高さ方向において、ケース６ａの固定部１５の底面１５ａの位置は、増設カセットユニット５１の底面５１ａの位置と同じである。
【００８５】
この構成によれば、高さ方向におけるケース５ａ，６ａの長さは、実施形態１のケース５，６より下方に延長した長さを有する。そのため、実施形態１のインク収容体３０より高さ方向の長さが長いインク収容体を収容できるので、インクの収容量が増加する。
【００８６】
実施形態１〜実施形態３では、筐体４の底部に切り欠き部を設けたが、筐体に凹部を設け、筐体に設けられた凹部に、ケースの固定部に設けられた突出部を挿入する構成にしてもよい。図７（ａ）は、正面側から見た図で、筐体６０に設けられた凹部６０ａに、ケースの固定部６１に設けられた係合部としての突出部６１ｂが挿入される部分を示す図である。ケースの固定部６１の側面６１ａから突出する突出部６１ｂは、凹部６０ａに挿入されて係合し、固定部６１を筐体６０に固定する。高さ方向において、固定部６１の底面６１ｃの位置は、筐体６０の底面６０ｂの位置と同じである。
【００８７】
図７（ｂ）は、正面側から見た図で、ケースの固定部６３に設けられた凹部６３ａに、筐体６２に設けられた係合部としての突出部６２ａが挿入される部分を示す図である。筐体６２に突出部６２ａを設け、ケースの固定部６３に凹部６３ａを設け、凹部６３ａに突出部６２ａが挿入されて係合される構成でもよい。これにより、使用者がケースを持ち上げると、筐体６２が持ち上がり、プリンターの移動が可能となる。
【００８８】
また、ケースの固定部６３が筐体６２に装着された状態において、高さ方向から見た第１の指掛け部としての指掛け部６４の凹部６４ｂと突出部６２ａの位置を、重なる位置に配置するようにしてもよい。
【００８９】
これによれば、使用者がケースを持ち上げたとき、指掛け部６４にかかる力の延長線上に突出部６２ａが位置する。そのため、ケースの回動が抑制され姿勢が安定する。また、高さ方向において、筐体６２の底面６２ｃの位置は、固定部６３の底面６３ｂの位置と同じである。これにより、プリンターを設置した状態にあるとき、ケースの姿勢が安定する。
【００９０】
また、図４（ｂ）の指掛け部１６は、延在部１６ａの下側に壁面１６ｅを有したが、図７（ｂ）の指掛け部６４に示すように、延在部６４ａの下側に壁面を設けないで下方を開放する構成でもよい。このようにすることにより、指掛け部６４を低い位置に設けることができる。
【００９１】
図８（ａ）、（ｂ）は、正面側から見た図で、筐体とケースの配置を示す模式図である。図８（ａ）の筐体７０の左右方向における両側のケース７１は、下部に係合部としての突出部７１ｂを有し、突出部７１ｂは、筐体７０の左右方向の下側角部７０ｂの下側に重なって配置される。また、筐体７０の両側のケース７１は、上部に係合部としての突出部７１ａを有し、突出部７１ａは、筐体７０の左右方向の上側角部７０ａの上側に重なって配置される。このような構成により、使用者が指掛け部７１ｃに指を掛けてケース７１を持ち上げたときに、ケース７１の姿勢が安定した状態で筐体７０も持ち上がる。
【００９２】
また、筐体７０の底部にゴムなどの脚部７２を備えることにより、高さ方向における脚部７２の底面の位置とケース７１の底面の位置が同じとなり、設置された状態の筐体７０とケース７１の姿勢が安定する。
【００９３】
また、このようなケース７１を片側に備え、ケース７１が備えられない側の筐体の側面に指掛け部を設けてもよい。
【００９４】
図８（ｂ）の筐体７３の左右方向における両側のケース７４は、下部に係合部としての突出部７４ｂを有し、突出部７４ｂは、筐体７３の下部に形成されたＬ字状の切り欠き部７３ｂに侵入し、係合して配置される。また、両側のケース７４は、上部に係合部としての突出部７４ａを有し、突出部７４ａは、筐体７３の上部に形成されたＬ字状の切り欠き部７３ａに侵入し、契合して配置される。このような構成により、使用者が指掛け部７４ｃに指を掛けてケース７４を持ち上げたときに、ケース７４の姿勢が安定した状態で筐体７３も持ち上がる。
【００９５】
また、ケース７４の底部にゴムなどの脚部７５を備えることにより、高さ方向における脚部７５の底面の位置と筐体７３の底面の位置が同じとなり、設置された状態の筐体７３とケース７４の姿勢が安定する。
【符号の説明】
【００９６】
１，１ａ，１ｂ…インクジェット式プリンター、４，６０，６２，７０，７３…筐体、４ａ，４ｂ，４ｃ…側面、４ｄ…底面、５，５ａ，６，６ａ，７１，７４…ケース、７…蓋体、８，１５，６１，６３…固定部、９，１６，１７，６４，７１ｃ，７４ｃ…指掛け部、１２，５０…用紙カセット、１３…開口部、１４…蓋体、１５ｂ，６１ｂ，６２ａ…突出部、１６ａ…延在部、２０…記録ヘッド、２２，２３…接続チューブ、３０…インク収容体、３５…格納部、５１…増設カセットユニット、６０ａ，６３ａ…凹部。
【図１】
2015066822.tif 000003
【図２】
2015066822.tif 000004
【図３】
2015066822.tif 000005
【図４】
2015066822.tif 000006
【図５】
2015066822.tif 000007
【図６】
2015066822.tif 000008
【図７】
2015066822.tif 000009
【図８】
2015066822.tif 000010